(57)【特許請求の範囲】
【請求項１】
建設機械操縦室のフロアボード上に敷設される建設機械用フロアマットにおいて、
前記フロアボード上に存在する突出物部分に敷設されるフロアマット片と、そのフロアマット片と接続され前記突出物部分を除く前記フロアボード上に敷設される主フロアマットとから構成され、
前記フロアマット片は、前記突出物に対応して形成された突出物用開口と、その突出物用開口に前記突出物を挿通するための切込みをその切込み端が前記主フロアマットとの接続部分に位置するように有し、
前記フロアマット片と前記主フロアマットとの接続部分が互いに階段状に形成されて、前記主フロアマットの接続部分が、前記フロアマット片の接続部分における前記切込み端を跨いでこのフロアマット片の接続部分を押え付けるように構成されていることを特徴とする建設機械用フロアマット。
【請求項２】
前記主フロアマットは、前記フロアマット片をその主フロアマット内に配置するための開口部を有していることを特徴とする建設機械用フロアマット。
【請求項３】
前記突出物が、走行レバーペダル、スイングペダル、オプションペダルを含む請求項１または２記載の建設機械用フロアマット。
【発明の詳細な説明】
【０００１】
【発明の属する技術分野】
本発明は、油圧ショベル等の建設機械のフロアボード上に敷設される建設機械用フロアマットに関するものである。
【０００２】
【従来の技術】
従来、図４に示すように、油圧ショベルの操縦室には運転席５０、コントロールボックス５１，５２が配置され、運転席５０前側足下のフロアボード上にフロアマットが５３が敷設されている。
【０００３】
このフロアマット５３は、その表面に滑り止めのための凹凸パターン５３ａが形成されており、その右側及び後側縁部には、フロアマット５３上の砂や泥を操縦室内に漏出させないように枠部５３ｂが立ち上げられている。なお、同図に示すフロアマット５３は、キャビンを持たない小型小旋回タイプの油圧ショベルに適用されるものであるため、フロアマット５３の前側及び左側（オペレータ乗降側）縁部については砂や泥の掃出しが容易なようフラットに形成されている。
【０００４】
フロアボード上には走行レバー５４、走行ペダル５５、ブームを左右方向にスイング操作するためのスイングペダル５６、ブレーカや排土板等のオプション装置を操作するためのオプションペダル５７が突出しており、フロアマット５３はこれらの突出物を避けつつフロアボード上に敷設または取り外しできるようにする必要がある。そこで、フロアマット５３には突出物を挿通させるための開口５３ｃ，５３ｄ，５３ｅ及びそれらの開口に通じる切込み５３ｃ′，５３ｄ′，５３ｅ′がそれぞれ形成されている。
【０００５】
【発明が解決しようとする課題】
しかしながら、従来の建設機械用フロアマット５３では、フロアマット５３の縁から切込み５３ｃ′，５３ｄ′，５３ｅ′が長く形成されているため、切込み部が捲れ易く見栄えが悪くなり勝ちとなり、また、切込み部が捲れるとその部分からフロアボード上に砂や泥が漏出するという欠点があった。
【０００６】
本発明は以上のような従来の建設機械用フロアマットにおける課題を考慮してなされたものであり、切込みによるフロアマットの捲れを防止して砂や泥の漏出を防止し、且つ見栄えを向上させることのできる建設機械用フロアマットを提供するものである。
【０００７】
【課題を解決するための手段】
請求項１の本発明は、建設機械操縦室のフロアボード上に敷設される建設機械用フロアマットにおいて、フロアボード上に存在する突出物部分に敷設されるフロアマット片と、そのフロアマット片と接続され突出物部分を除くフロアボード上に敷設される主フロアマットとから構成され、フロアマット片は、突出物に対応して形成された突出物用開口と、その突出物用開口に突出物を挿通するための切込みをその切込み端が前記主フロアマットとの接続部分に位置するように有し、前記フロアマット片と前記主フロアマットとの接続部分が互いに階段状に形成されて、前記主フロアマットの接続部分が、前記フロアマット片の接続部分における前記切込み端を跨いでこのフロアマット片の接続部分を押え付けるように構成されている建設機械用フロアマットである。
【０００８】
請求項２の本発明は、主フロアマットは、フロアマット片をその主フロアマット内に配置するための開口部を有している建設機械用フロアマットである。
【０００９】
請求項３の本発明は、突出物が、走行レバーペダル、スイングペダル、オプションペダルを含む建設機械用フロアマットである。
【００１０】
本発明のフロアマット片において突出物部分に敷設されるとは、突出物が存在する範囲を含んでその周辺の範囲に敷設されることを意味する。
【００１１】
請求項１の本発明に従えば、フロアボード上を、突出物が存在する領域と存在しない領域とに分け、領域別にフロアマットを分割形成した（フロアマット片と主フロアマット）から、突出物を挿通するための切込み長さを短くできること、及び切込み端が必ずしもフロアマット端とならないことによって切込み部分の捲れが抑制され、さらに切込み端を主フロアマットで押えることにより、フロアマットの捲れを効果的に防止することができる。
【００１２】
フロアマット片の切込み部分からフロアボード上に存在する突出物を挿通させ、フロアボード上にフロアマット片を敷設し、そのフロアマット片と主フロアマットとを対応させてフロアボード上に主フロアマットを敷設すると、主フロアマットとフロアマット片とが一体に接続される。
【００１３】
そして、主フロアマットとフロアマット片との接続部分が階段状に係合されるため、接続部分に隙間が発生せず、砂や泥の漏出を確実に防止することができる。
【００１４】
請求項２の本発明に従えば、フロアマット片の切り込み部分を主フロアマットの開口部で押えることにより、フロアマットの捲れを効果的に防止することができる。
【００１５】
【発明の実施の形態】
以下、図面に示した実施の形態に基づいて本発明を詳細に説明する。
【００１６】
図１は、本発明に係る建設機械用フロアマット（以下、単にフロアマットと呼ぶ）の一実施形態を示したものである。
【００１７】
同図において、フロアマット１は、図示しない操縦室のフロアボード上に存在する突出物部分に敷設されるフロアマット片２と、そのフロアマット片２と接続されフロアマット片２の敷設範囲を除くフロアボード上に敷設される主フロアマット３とから構成されている。
【００１８】
フロアマット片２は、長方形の合成ゴム製プレートからなり、スイングペダル用開口２ａと走行ペダル用開口２ｂとオプションペダル用開口２ｃがそれぞれ形成されている。フロアマット片２の外周縁からスイングペダル用開口２ａにつながる切込み２ａ′は、ブームを左右方向にスイング操作するスイングペダル（後述する）を挿通させるためにあり、また、走行ペダル用開口２ｂにつながる切込み２ｂ′は、走行ペダル（後述する）を挿通させるためにあり、さらにまた、オプションペダル用開口２ｃにつながる切込み２ｃ′は、オプション装置としての排土板を上下に移動させるオプションペダル（後述する）を挿通させるためにある。なお、上記スイングペダル、走行ペダル、オプションペダルはいずれもフロアボード上の突出物となる。また、各開口２ａ，２ｂ，２ｃは突出物用開口を構成する。
【００１９】
一方、主フロアマット３はゴム製または塩化ビニル製シートからなり、その輪郭は操縦席のフロアボード形状に合わせて形成されている。主フロアマット３の前側には開口部としての窓部３ａが開口されており、この窓部３ａ内に上記フロアマット片２を配置することができるようになっている。
【００２０】
上記主フロアマット３とフロアマット片２との接続部分は階段状に係合されている。詳しくは、フロアマット片２の外周縁は階段状に形成されており、フロアマット片２厚さの略１／２の厚さからなる受け鍔部２ｄが横方向に延設されている。一方、フロアマット片２と略同じ厚さで構成された主フロアマット３の窓部３ａの縁には、主フロアマット３厚さの略１／２の厚さからなる捲れ防止部としての押え鍔部３ｂが、上記受け鍔部２ｄと重なり合うように横方向に延設されている。
【００２１】
上記主フロアマット３とフロアマット片２が接続された状態では、主フロアマット３の押え鍔部３ｂが、フロアマット片２における各切込み２ａ′，２ｂ′，２ｃ′それぞれに跨がってその端部を押え付けるため、切込み２ａ′，２ｂ′，２ｃ′が捲れることがない。また、突出物を挿通させる切込みは主フロアマット３に一切形成されておらずフロアマット片２にのみ形成したため、すなわち、切込みの長さを必要最小限に留めているため、従来のフロアマットに比べて切込みの長さが大幅に短くなっている。従って、押え鍔部３ｂによる押えが作用しない切込み部分についても浮き上がり等の不都合が発生することがない。しかもフロアマット片２は主フロアマット３の窓部３ａ内に嵌め込まれているため、フロアマット片２が位置ずれすることもない。
【００２２】
このようなフロアマット構造によれば、機種毎にペダル位置が異なっている場合であっても、フロアマット片２のみ機種毎に用意すれば、主フロアマット３は各機種に共通して使用することができるようになり、フロアマットのコストダウンを図ることができる。
【００２３】
なお、主フロアマット３の表面には滑り止めのための凹凸パターン３ｃが多数形成されており、その右側及び後側縁部には、フロアマット１上の砂や泥をフロアボード上に漏出させないように枠部３ｄ及び３ｅが立ち上げられている。なお、本実施形態に示すフロアマット１は、キャビンを持たない小型小旋回タイプに適用するものを例示しているため、フロアマット１の前側及び左側（オペレータ乗降側）縁部については砂や泥の掃出しが容易なよう枠部は立ち上げ形成されていないが、必要に応じて前側及び左側縁部についても枠部を形成してもよい。
【００２４】
図３に示す平面図は、本発明のフロアマット１を油圧ショベルのフロアボード上に装着した状態を示したものである。
【００２５】
同図において、下部走行体４上に上部旋回体５が旋回可能に搭載され、その上部旋回体５の右側には機器カバー６が配置され、図示しない燃料タンク等が収納されている。また、上部旋回体５の左側には運転席７が配置され、その両側にコントロールボックス８，９が配置されている。
【００２６】
運転席７はエンジンカバー上に固定されており、そのエンジンカバー内に図示しないエンジンユニット、エンジン冷却装置、油圧機器等が収納されている。そして運転席７前側足下のフロアボード上に本発明のフロアマット１が敷設されている。
【００２７】
フロアボード上には、走行レバー及び走行ペダル１０、ブーム１１を油圧シリンダ１２を介してスイング操作するためのスイングペダル１３、排土板１４を操作するオプションペダル１５が突出している。
【００２８】
フロアボード上にフロアマット１を敷設する場合、まずフロアマット片２を用意し、切込み２ａ′，２ｂ′，２ｃ′部分からスイングペダル１３，走行レバー及び走行ペダル１０，オプションペダル１５を挿通させ、各ペダルをスイングペダル用開口２ａ，走行ペダル用開口２ｂ，オプションペダル用開口２ｃにそれぞれ嵌め込み、それによってフロアマット片２を敷設する。
【００２９】
フロアマット片２を装着した後、主フロアマット３の窓部３ａに走行レバーを通して落とし込み、窓部３ａとフロアマット片２とを嵌め合わせる。それにより、フロアボード上に主フロアマット３とフロアマット片２とが一体に敷設される。
【００３０】
なお、フロアマット片２は上記実施形態では１つであったが、複数であってもよく、その場合、主フロアマット３には複数のフロアマット片に応じた数の窓部を形成すればよい。
【００３１】
また、本発明においてフロアマット片の形状は上記実施形態では長方形に構成したが、これに限らず、フロアボード上に存在する突出物の形状や配置によって、適宜変更することができる。
【００３２】
また、本発明における開口部は、上記実施形態に示したように窓状に形成することが最も好ましい。なぜならフロアマットの外周縁に切込みが一切存在せず、捲れを確実に防止することができるからである。なお、開口部の変形例としては例えばコ字状切欠きが示される。フロアマット片の切込みがそのコ字状切欠きの奥部に向けられるようにしてフロアマット片を主フロアマット内に敷設すれば、フロアマット片における切込み部分については捲れを防止することができる。ただし、この場合、主フロアマットとフロアマット片との継ぎ目端部については別途捲れ防止手段を講じる必要がある。
【００３３】
また、本発明における突出物は上記実施形態に示したペダル類に限らず、それ以外の任意の突出物が含まれる。
【００３４】
【発明の効果】
以上説明したことから明らかなように、請求項１の本発明によれば、フロアボード上の突出物部分にフロアマット片が敷設されるとともに、そのフロアマット片と接続されてフロアボード上に主フロアマットが敷設され、突出物を挿通させるための切込みは上記フロアマット片にのみ必要最小限の長さで形成されている。そして、フロアマット片と主フロアマットとの接続部分において主フロアマットがフロアマット片の切込み端を跨いで押え付けている。このため、フロアマットの捲れを防止することができる。
【００３５】
また、フロアマット片の切込みを押え付けて切込みの捲れを防止するため、フロアボード上への砂や泥の漏出を確実に防止し、且つフロアマットの見栄えを向上させることができる。
【００３６】
請求項２の本発明によれば、フロアマット片と主フロアマットとの接続部分が階段状に係合されるとともにフロアマット片が主フロアマットの開口部内に配置されるためその接合部分に隙間が発生せず、両フロアマットを一体に接合することができる。
【図面の簡単な説明】
【図１】本発明に係る建設機械用フロアマットの構成を示す斜視図である。
【図２】図１に示すフロアマットの接続部分を示す拡大断面図である。
【図３】本発明に係る建設機械用フロアマットを油圧ショベルに適用した例を示す平面図である。
【図４】従来の建設機械用フロアマットの構成を示す斜視図である。
【符号の説明】
１  フロアマット
１ａ  押え側鍔部
２  フロアマット片
２ａ  スイングペダル用開口
２ａ′，２ｂ′，２ｃ′  切込み
２ｂ  走行ペダル用開口
２ｃ  オプションペダル用開口
２ｄ  受け側鍔部
３  主フロアマット
３ａ  窓部（開口部）
【図１】
0003592148.tif 000002
【図２】
0003592148.tif 000003
【図３】
0003592148.tif 000004
【図４】
0003592148.tif 000005